(57)【要約】      （修正有）【課題】接合部の構造的支持を強化し、ねじれ力を向上させることができるハンドツールを提供する。【解決手段】操作ヘッドを備えるハンドツール２０は、桿本体３０とヘッド部４０と角ドライブ４２と備え、桿本体３０の前端部に、互いに間隔をあけ且つ平行に配置される２つの接合部３１が設けられる。ヘッド部４０は主体部４１を有する。角ドライブ４２は主体部４１の一側に接続され、主体部４１の他側に枢接ブロック４３と２つの翼パネル４４が設けられる。この構造によって、桿本体３０の２つの接合部３１は、枢接ブロック４３と２つの翼パネル４４との間に枢着され、２つの翼パネル４４は協同して２つの接合部３１の外側を支持し、接合部３１の構造を強化することができ、角ドライブ４２がワークに加えるねじり力を高め、耐用性及び強度を高めることができる。【選択図】図３
0003228322.tif 000002
【実用新案登録請求の範囲】
【請求項１】
操作ヘッドを備えるハンドツールであって、桿本体とヘッド部とを備え、
前記桿本体は２つの接合部を備え、前記２つの接合部は、互いに間隔をあけ且つ平行に配置され、
前記ヘッド部は、主体部と角ドライブと枢接ブロックとを備え、前記角ドライブは、前記主体部の一側に接続され、前記枢接ブロックは、前記主体部の他側から外側に延伸し、前記主体部は、前記枢接ブロックの両側において、２つの翼パネルを設け、前記２つの翼パネルは、前記枢接ブロックに平行に設けられ、且つ前記枢接部との間に間隔をあけ、前記桿本体の２つの接合部は、前記２つの翼パネルと前記枢接部との間の間隔内に枢接される、ことを特徴とする操作ヘッドを備えるハンドツール。
【請求項２】
前記主体部の外径は前記枢接ブロックの外径よりも大きい、ことを特徴とする請求項１に記載のハンドツール。
【請求項３】
前記枢接ブロックと前記主体部との接続箇所に増強ブロックが設けられる、ことを特徴とする請求項２に記載のハンドツール。
【請求項４】
前記ヘッド部の角ドライブは多角柱形状であり、前記角ドライブの少なくとも１つの側辺と主体部との接続箇所に増強部が設けられる、ことを特徴とする請求項１に記載のハンドツール。
【請求項５】
前記桿本体の２つの接合部は、同軸の接続孔を貫通し、前記枢接ブロックに、貫通孔が貫通され、前記２つの翼パネルのそれぞれに、孔部を貫通し、前記貫通孔と前記孔部とは同軸に設置され、前記接続孔と貫通孔と孔部とは、ピン部材によって枢着される、ことを特徴とする請求項１に記載のハンドツール。
【請求項６】
前記桿本体の２つの接合部には、同軸の接続孔が設けられ、前記枢接ブロックに、貫通孔が貫通され、前記接続孔と前記貫通孔とが重なった後、ピン部材によって枢着される、ことを特徴とする請求項１に記載のハンドツール。
【請求項７】
少なくとも１つの翼パネルに孔部が設けられ、前記孔部は、前記ピン部材が前記２つの接合部の接続孔及び前記枢接ブロックの貫通孔の内部に挿入される、ことを特徴とする請求項６に記載のハンドツール。
【請求項８】
前記ヘッド部の角ドライブの外径は、前記主体部の外径よりも小さい、ことを特徴とする請求項１に記載のハンドツール。
【請求項９】
前記主体部は円柱状である、ことを特徴とする請求項１に記載のハンドツール。
【請求項１０】
前記２つの接合部の後端部において、前記桿本体は桿部を設ける、ことを特徴とする請求項１に記載のハンドツール。
【考案の詳細な説明】
【技術分野】
【０００１】
本考案は、ハンドツールに関し、特に操作ヘッドを備えるハンドツールに関する。
【背景技術】
【０００２】
図１に示す従来のハンドツール１０は、桿部材１１とヘッド部１２とを備える。前記桿部材１１の前端部に、平行に配置される２つの接合部１１１が設けられている。前記ヘッド部１２は枢接部１２１を備えている。前記枢接部１２は前記２つの接合部１１１の間に設けられ、前記ヘッド部１２は、前記枢接部１２１に接続される角ドライブ１２２を設け、前記角ドライブ１２２と前記枢接部１２１との接続箇所に捩曲部１２３が設けられている。前記ヘッド部１２の枢接部１２１が前記接合部１１１に枢着されることによって、前記ヘッド部１２を回転させて作業方向を変えることができ、前記角ドライブ１２２がワークを駆動してワークを締めたり緩めたりする。
【０００３】
従来のハンドツール１０は、力が加えられている時、桿部材１１の力により、枢接部１２１を駆動するときに２つの接合部１１１が容易にねじれて変形する可能性がある。また、２つの接合部１１１の外側が支持されていないため、枢接部１２１を無理に回転させると、２つの接合部１１１が無理な力で変形する場合がある。また、剪断応力や変形により、２つの接合部１１１が損傷してしまい、桿部材１１の２つの接合部１１１が損傷または破損し、使用できなくなってしまう。
【考案の概要】
【考案が解決しようとする課題】
【０００４】
本考案の主な目的は、接合部の構造的支持を強化し、ねじれ力を向上させることができるハンドツールを提供する。
【課題を解決するための手段】
【０００５】
上述した目的を達成するために、本考案が操作ヘッドを備えるハンドツールを提供し、前記ハンドツールは、桿本体とヘッド部とを備え、前記桿本体は２つの接合部を備え、前記２つの接合部は、互いに間隔をあけ且つ平行に配置され、前記ヘッド部は、主体部と角ドライブと枢接ブロックとを備え、前記角ドライブは、前記主体部の一側に接続され、前記枢接ブロックは、前記主体部の他側から外側に延伸し、前記主体部は、前記枢接ブロックの両側において、２つの翼パネルを設け、前記２つの翼パネルは、前記枢接ブロックに平行に設けられ、且つ前記枢接部との間に間隔をあけ、前記桿本体の２つの接合部は、前記２つの翼パネルと前記枢接部との間の間隔内に枢接される。
【０００６】
好ましくは、前記桿本体の２つの接合部は、同軸の接続孔を貫通し、前記枢接ブロックに、貫通孔が貫通され、前記２つの翼パネルのそれぞれに、孔部を貫通し、前記貫通孔と前記孔部とは同軸に設置され、前記接続孔と貫通孔と孔部とは、ピン部材によって枢着される。
【０００７】
好ましくは、前記桿本体の２つの接合部には、同軸の接続孔が設けられ、前記枢接ブロックに、貫通孔が貫通され、前記接続孔と前記貫通孔とが重なった後、ピン部材によって枢着される。
【０００８】
好ましくは、前記枢接ブロックの外径は、前記主体部の外径よりも小さく、且つ前記枢接ブロックと前記主体部との接続箇所に増強ブロックが設けられる。
【０００９】
本考案によって提供される操作ヘッドを備えるハンドツールは、ヘッド部に設けられる枢接ブロック及び前記２つの翼パネルによって、前記桿本体の２つの接合部を強化することができ、耐力強度を高けることができる。また、２つの接合部が動作中過度な変形を防ぎ、角ドライブがワークに加えるねじり力を高め、損傷への防止性能及び強度を向上させ、耐力年数が増加することができる。
【図面の簡単な説明】
【００１０】
本考案の目的、構造特徴及び達成された効果をより理解できるように、以下の３つの好ましい実施形態及び図面を参照しながら、本考案の詳細を説明する。
【図１】従来のハンドツールの立体図である。
【図２】本考案の好ましい実施形態のハンドツールの立体図である。
【図３】図２の分解構造を示す図である。
【図４】本考案の好ましい実施形態のヘッド部の立体図である。
【図５】図４の５―５線の断面図である。
【図６】好ましい実施形態のハンドツールの局在部の断面図である。
【図７】好ましい実施形態において動作状態を示す概念図である。
【図８】第２好ましい実施形態のハンドツールの局在部の断面図である。
【考案を実施するための形態】
【００１１】
図２及び図３に示すように、本考案の好ましい実施形態に提供されるハンドツール２０は、桿本体３０とヘッド部４０とを備える。
【００１２】
桿本体３０の前端部に、互いに間隔をあけ且つ平行に配置される２つの接合部３１が設けられ、前記２つの接合部３１に、同軸の接続孔３１１を貫通している。本実施形態の前記桿本体３０では、前記接合部３１の後端部と一体となる桿部３２が形成され、前記桿本体３０は、他のワークヘッドと接合するため接合部を設けても良い。
【００１３】
図４及び図５に示すように、前記ヘッド部４０は主体部４１と角ドライブ４２と枢接ブロック４３と翼パネル４４とを備える。前記主体部４１は円柱状である。前記角ドライブ４２は前記主体部４１の底部に接続され、本実施形態では、正方形ヘッドで構成されているが、形状及び寸法は実際の需要に応じて変更することができる。前記角ドライブ４２の側辺と前記主体部４１との接続箇所に増強部４２１が設けられ、これによって、角ドライブ４２と主体部４１との接続箇所の構造的強度を高めることができる。前記枢接ブロック４３は、前記主体部４１の頂端部の中央部に設けられ、前記枢接ブロック４３の外径は前記主体部４１の外径よりも小さく、前記枢接ブロック４３の中央部に貫通孔４３１が貫通され、前記位枢接ブロック４３と前記主体部４１との接続箇所において、前記枢接ブロック４３の前縁部及び後縁部に沿って、２つの増強ブロック４３２が設けられ、前記２つの増強ブロック４３２は、前記主体部４１の端面に接続される。前記主体部４１の頂部側且つ前記枢接ブロック４３の両側面に、平行に配置される２つの翼パネル４４が設けられ、前記２つの翼パネル４４に孔部４４１を貫通し、前記２つの孔部４４１と前記枢接ブロック４３の貫通孔４３１とは同軸に設置されている。図２及び図４に示すように、前記２つの接合部３１の接続孔３１１は、前記枢接ブロック４３の貫通孔４３１及び前記２つの翼パネル４４の孔部４４１と重なり、且つ、ピン部材４５によって挿入されることができる。図６に示すように、上記の構造によって、前記ヘッド部４０は、前記桿本体３０に枢着され、且つ、前記桿本体３０の２つの接合部３１は、前記２つの翼パネル４４と前記枢接ブロック４３との間の間隔内に位置されている。
【００１４】
図５に示すように、前記主体部４１の外径はＷ１であり、前記角ドライブ４２の外径はＷ２であり、前記枢接ブロック４３の中心、すなわち、最大外径の位置の外径はＷ３である。本実施形態では、前記主体部４１の外径は、前記枢接ブロック４３及び角ドライブ４２の外径よりも大きい。
【００１５】
図７に示すように、実際の動作では、前記ハンドツール２０のヘッド部４０は、ワークＴ（例えばスリーブ）の外側を嵌合し、前記桿本体３０と前記ヘッド部４０との間の角度を調整する。動作角度を調整した後、前記桿部３２に回転力を加え、前記桿部３２が力を２つの接合部３１を介して前記ヘッド部４０の枢接ブロック４３に伝達する。前記枢接ブロック４３が前記主体部４１及び前記角ドライブ４２を回転することによって、前記枢接ブロック４３の両側の２つの翼パネル４４の回転中、前記桿本体３０の２つの接合部３１の外側が前記ヘッド部４０の両側の２つの翼パネル４４で覆われ、前記２つの接合部３１の中央に枢接ブロック４３が設けられている。前記桿部３２によって、前記桿本体３０の力が接合部３１に伝達されると、前記２つの接合部３１は、前記２つの翼パネル４４及び前記枢接ブロック４３によって支持されるので、前記２つの接合部３１が回転しても過度の位置変化が生成されない。前記２つの接合部３１が前記枢接ブロック４３を回転駆動する時に生じる変形を低減し、回転位置の変化によって生じる２つの間のせん断力を低減し、動作強度及び耐用年数を増加させることができる。さらに、前記主体部４１が前記枢接ブロック４３と角ドライブ４２との間に位置されるので、前記主体部４１の外径は比較的大きく、比較的大きな受力面積があるので、前記枢接ブロック４３と角ドライブ４２との間は、力による損傷を受けにくい。また、前記角ドライブ４２と主体部４１との接続箇所に設けられる増強部４２１では、前記角ドライブ４２と前記主体部４１との接続箇所に比較的大きな受力面積及び耐力強度を形成でき、前記角ドライブ４２の耐力強度を高めることができる。また、前記枢接ブロック４３と前記主体部４１との接続箇所に形成された増強ブロック４３２では、前記枢接ブロック４３と前記主体部４１との間の強度を高め、前記枢接ブロック４３と主体部４１との接続箇所は、断裂したり破損したりする可能性が低くなる。
【００１６】
図８に示すように、本考案によって提供される第２の好ましい実施形態におけるハンドツール２０は、主要構成要素が第１の好ましい実施形態と同じであり、同一構成の詳細について省略する。
【００１７】
前記ヘッド部４０の２つの翼パネル４４は、前記２つの接合部３１の外側を覆い、そのうちの一方の翼パネル４４に、孔部４４１を貫通し、他方の翼パネル４４に孔部を設けていない。前記ピン部材４５は、前記翼パネル４４の孔部４４１のみを貫通しており、前記ピン部材４５は、前記桿本体３０の２つの接合部３１の接続孔３１１及び前記枢接ブロック４３の貫通孔４３１に枢接され、前記翼パネル４４の孔部４４１に枢接されていない。前記２つの翼パネル４４は、前記桿本体３０の２つ接合部３１の外側に枢接しておらず、前記桿本体３０の２つ接合部３１の外側を覆うように設けられている。前記２つの翼パネル４４は、前記２つの接合部３１を支持する効果を奏することができる。
【００１８】
本考案によって提供されるハンドツールは、ヘッド部の２つの翼パネルが前記桿本体の接合部の外側に設けられている。この構造によって、桿本体の２つの接合部の耐力強度を高め、容易に変形しない。桿本体の接合部の外側に増強構造を設けず、力が加えられた時に変形や損傷が発生しやすい従来品と比較して、本考案のヘッド部の前記枢接ブロックの両側に設けられる翼パネルは、前記枢接部と協同して前記桿本体の２つの接合部に対して増強効果及び位置決め効果を奏することができる。これによって、前記桿本体の２つの接合部に力を加える時に過度に変形するのを防ぎ、耐力強度を高め、桿本体の接合部の使用寿命及びハンドツールのねじり力を改善することができる。
【００１９】
上述した実施形態は、本考案の技術的な手段を説明するためのものであり、限定するものではない。本考案より変更された形態も、本考案登録請求の範囲に含まれている。本考案のハンドツールは、前記技術分野における新規的な構造及び創作的な機能を有し、登録に見込まれる。
【符号の説明】
【００２０】
１０    ハンドツール          １１    桿部材              １１１  接合部
１２    ヘッド部              １２１  枢接部              １２２  角ドライブ
２０    ハンドツール
３０    桿本体                ３１    接合部              ３１１  接続孔
３２    桿部
４０    ヘッド部              ４１    主体部                ４２    角ドライブ
４２１  増強部                ４３    枢接ブロック        ４３１  貫通孔
４３２  増強ブロック          ４４    翼パネル                ４４１  孔部
４５    ピン部材
Ｔ      ワーク
Ｗ１    主体部の外径            Ｗ２    角ドライブの外径    Ｗ３    枢接ブロックの外径
【図１】
0003228322.tif 000003
【図２】
0003228322.tif 000004
【図３】
0003228322.tif 000005
【図４】
0003228322.tif 000006
【図５】
0003228322.tif 000007
【図６】
0003228322.tif 000008
【図７】
0003228322.tif 000009
【図８】
0003228322.tif 000010